(57)【要約】【課題】誤送信防止機能を備えた通信装置の提供【解決手段】本発明の通信装置は、送信前に宛先情報の確認画面が表示可能な通信装置を前提とする。そして、本発明の通信装置は、宛先確認手段と、送信情報記憶手段を備える。宛先確認手段は、確認画面の表示がされてから所定の確認期間内にユーザによる宛先情報の確認指示を受け付ける。さらに、宛先確認手段は、確認期間内に確認指示がされなかった場合に、確認画面の表示を終了させる。そして、送信情報記憶手段は、宛先確認手段が確認画面の表示を終了させる場合、宛先情報を含む送信情報を記憶し続けることを特徴とする。【選択図】図３
2010087685.tif 000002
【特許請求の範囲】
【請求項１】
送信前に宛先情報の確認画面が表示可能な通信装置において、
前記確認画面の表示がされてから所定の確認期間内にユーザによる前記宛先情報の確認指示を受け付け、前記確認期間内に前記確認指示がされなかった場合、前記確認画面の表示を終了させる宛先確認手段と、
前記宛先確認手段が確認画面の表示を終了させる場合、前記宛先情報を含む送信情報を記憶し続ける送信情報記憶手段を備えることを特徴とする通信装置。
【請求項２】
前記確認期間が、前記確認画面の表示がされてから所定の待機期間経過後の期間であり、
前記宛先確認手段が、前記待機期間中にはユーザによる宛先情報の確認指示を受け付けない、請求項１に記載の通信装置。
【請求項３】
前記待機期間が、送信情報中の宛先件数に応じて調整可能な請求項２に記載の通信装置。
【請求項４】
前記通信装置が、ファクシミリ装置である請求項１から３いずれか一項記載の通信装置。
【発明の詳細な説明】
【技術分野】
【０００１】
本発明は、通信装置に関し、特に誤送信防止に最適な通信装置である。
【背景技術】
【０００２】
ファクシミリ装置や電子メール等に代表される通信を行う場合、誤送信が問題となる。例えば銀行等の金融機関のように機密情報を大量に取り扱う場合、誤送信を防止することは重要な問題である。このような誤送信防止を目的として以下の技術が開示されている。
【０００３】
特許文献1に開示の技術は、誤送信防止モードが設定されていると、宛先情報を入力後、当該宛先情報の確認のために、送信先の名称や電話番号が表示されたタッチパネルの表示部分をタッチすることで、送信許可の状態になるというものである。
【０００４】
特許文献２に開示の技術は、送信を途中でキャンセルするためのガイダンスメッセージが表示され、送信がキャンセルされると、表示用の誤送信メッセージを送信するというものである。
【特許文献１】特開２０００-１１５４３４号公報
【特許文献２】特開２００３-２２３３９９号公報
【発明の開示】
【発明が解決しようとする課題】
【０００５】
特許文献１は、誤送信を防止するために確認画面を表示する技術である。この技術では、ユーザは宛先情報を入力し、送信キーを押した後、確認画面で宛先情報の確認入力をする必要がある。このため、ユーザが、確認画面での確認入力を忘れ、確認画面が表示されたままの状態になることがあった。すなわち、ユーザが、宛先情報を入力し、送信キーを押すことで送信が完了したと勘違いし、宛先情報を確認する確認画面が表示される前に通信装置から離れてしまうことで、確認画面が表示されたままになることがあった。
【０００６】
ファクシミリ送信の場合では、特にこの様な状態になりやすく、当該確認画面を終了させない限り、次のユーザが通信装置を使用できないという問題があった。確認画面を終了させるためには、前回のユーザに当該確認画面を終了させてもよいかどうかの判断をしてもらう必要があり、誤送信を防止するための確認画面が、すぐに使用したい次のユーザの妨げとなっていた。
【０００７】
特許文献２は、電子メールに関する技術であり、送信を途中でキャンセルするための確認画面を送信が開始されてから所定時間表示している。この技術であれば、ユーザは送信キーを押した後、通信装置から離れても、確認画面が表示されたままの事態は避けることができる。しかし、送信が開始されてから確認画面が表示されるのでは、誤送信防止の効果はほとんどない。確認画面で確認してその後送信される態様の通信装置でないと、機密情報を大量に扱う必要がある金融機関では使用できない。そこで、確認画面が業務の妨げとならず、かつ確実に誤送信を防止できる通信装置に対する要請があった。
【課題を解決するための手段】
【０００８】
本発明は、上記の課題を解決するために以下の技術的手段を採用している。まず、本発明の通信装置は、送信前に宛先情報の確認画面が表示可能な通信装置を前提とする。そして、本発明の通信装置は、宛先確認手段と、送信情報記憶手段を備える。宛先確認手段は、確認画面の表示がされてから所定の確認期間内にユーザによる宛先情報の確認指示を受け付ける。さらに、宛先確認手段は、確認期間内に確認指示がされなかった場合に、確認画面の表示を終了させる。そして、送信情報記憶手段は、宛先確認手段が確認画面の表示を終了させる場合、宛先情報を含む送信情報を記憶し続けることを特徴とする。
【０００９】
上記の構成であると、所定の確認期間内に宛先情報の確認指示がなかった場合、送信情報記憶手段が、確認期間経過後に宛先情報を含む送信情報を記憶し続けるので、記憶された宛先情報を基にユーザが原稿データを再送することができる。さらに、宛先情報が記憶されると、宛先確認手段が確認画面の表示を終了させるので、次のユーザがすぐに、通信装置を使用することができる。
【００１０】
上記の構成において、確認期間が、確認画面の表示がされてから所定の待機期間経過後の期間であり、宛先確認手段が、待機期間中にはユーザによる宛先情報の確認指示を受け付けない構成にすることができる。
【００１１】
上記の構成であると、宛先情報の確認画面の表示がされてから所定期間（待機期間）中にはユーザからの確認指示を受け付けず、待機期間経過後の所定期間（確認期間）にだけ確認指示を受け付けることができる。よって、ユーザが確認画面で送信情報を確認せずに送信キーを連続して押しても待機期間の間は確認指示がだせないので、再度ユーザに送信先を確認させるための機会を与えることができる。
【００１２】
上記の構成において、待機期間が、送信情報中の宛先件数情報に応じて調整可能であると、宛先件数に応じて待機期間が長くなり、送信情報を確認する時間を多くすることができる。さらに、通信装置が、ファクシミリ装置であることが望ましい。
【発明の効果】
【００１３】
本発明によれば、確認期間経過後に、宛先情報を記憶し、かつ確認画面を終了させることで、確認画面が表示されたままの状態を防止する。よって、誤送信防止のための確認画面が業務の妨げとならず、かつ確実に誤送信を防止できる通信装置を提供することができる。さらに、待機期間中は、ユーザからの確認指示を受け付けない構成になっているので、送信情報を確認せずに２度押しをしてしまうユーザについても、再度確認期間内に確認させることができる。
【発明を実施するための最良の形態】
【００１４】
（第１の実施形態）
＜通信装置＞
本発明の通信装置１００のファクシミリ通信機能を説明する。
【００１５】
図１に示すように、通信装置１００は、本体１０１と、本体１０１の上方に取り付けられたプランカバー１０２を備える。本体１０１の上面は原稿台１０３が設けられていて、原稿台１００は、プラテンカバー１０２によって開閉されるようになっている。プラテンカバー１０２は、自動原稿給紙装置１０４と載置台１０５と排紙台１０９が設けられている。
【００１６】
自動原稿給紙装置１０４は、プラテンカバー１０２の内部に形成された原稿搬送路１０８と、プラテンカバー１０２の内部に備えられたピックアップローラ１０６や搬送ローラ１０７等で構成されている。原稿搬送路１０８は、載置台１０５から、本体１０１に設けた読取部１１０にて読み取りが行なわれる読取位置Ｐを経由して、排紙台１０９に通じる原稿の搬送路である。
【００１７】
自動原稿給紙装置１０４は、載置台１０５に載置された原稿１枚ずつをピックアップローラ１０６で搬送路内１０８に引き込み、引き込んだ原稿を読取位置Ｐを通過させて排紙台１０９に排紙する。読取位置Ｐを通過する時に原稿は読取部１１０にて読み取られる。
【００１８】
読取部１１０は、原稿台１０３の下方に設けられている。読取部１１０は、原稿台１０３を照射する主走査方向に長い光源１１１と、原稿台１０３からの光を導くミラー１１２、１１３、１１４と、ミラー１１２、１１３、１１４で導かれた光を撮像する撮像素子１１５とで構成されている。
【００１９】
自動原稿給紙装置１０４が原稿を搬送する時は、光源１１１は、読取位置Ｐを照射できる位置に移動して発光する。光源１１１からの光は、原稿台１０３を透過して読取位置Ｐを通過する原稿にて反射し、ミラー１１２、１１３、１１４によって撮像素子１１５に導かれる。撮像素子１１５は受光した光を撮像することで原稿の画像データを生成する。
【００２０】
通信装置１００は、ファクシミリ回線１５０，１５１を介して、送信手段１１６によって原稿の画像データを送信する。
【００２１】
以上が、通信装置１００における基本的なファクシミリ処理である。
【００２２】
図５は、通信装置１００に備えられた操作部２００の外観の一例を示す図である。ユーザは、上記操作部２００を用いて、上述のような機能提供についての設定条件等を入力したり、書き込み情報を書き込んだり、所定の送信先へ書き込み情報を送信したりする。設定条件の入力、各サービスの実行開始等が行なわれる際に、上記操作部２００に備えられたタッチパネル２０１、各種操作キーが用いられる。
【００２３】
次に、図２を用いて、本発明の通信装置１００の制御系ハードウェアの構成を説明する。図２は、当該通信装置１００における制御系ハードウェアの概略構成図である。ただし、本発明に直接には関係しない各部の詳細は省略している。
【００２４】
通信装置１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。上記ＣＰＵ３０１は、例えば、ＲＡＭ３０３を作業領域として利用し、上記ＲＯＭ３０２、ＨＤＤ３０４等に記憶されているプログラムを実行し、当該実行結果に基づいて上記ドライバ３０５と操作部２００からのデータ、指示を授受し、上記図１に示した各駆動部等の動作を制御する。
〈宛先情報の確認〉
次に本発明に係る実施の形態の宛先情報の確認動作について、図３から図６を参照して説明する。図３は、本発明の通信装置１００の機能ブロック図、図４は、本発明の通信装置１００の宛先情報確認の処理を示すフローチャートである。図５は、本発明の通信装置１００の操作部２００を示す図、図６は当該操作部２００のうち、タッチパネル２０１を示した図である。
【００２５】
まず、ユーザが原稿を図１の載置台１０５に載置し、原稿の宛先情報（送信先Ａ社、Ｆａｘ番号１１１１１１１等）を操作部２００に数字キー２１０等で入力すると、宛先情報受付手段３１１が当該宛先情報を受け付ける（図４：Ｓ２０１）。
【００２６】
本発明の宛先情報とは、原稿を送信する先の電話番号等の相手先情報であり、送信情報とは、宛先情報と原稿データを含めた情報を示す。
【００２７】
ユーザが操作部２００のスタートキー２１１を押下すると、宛先情報受付手段３１１が、ファクシミリによる原稿画像の読取を受付け、原稿読取手段３１４に原稿画像を読み取らせる旨を送信する。当該信号を受信した原稿読取手段３１４は、原稿画像を読み取る（図４：Ｓ２０２）。読み取った原稿画像データは、送信情報記憶手段３１５に記憶される。
【００２８】
次に原稿読取手段３１４が原稿読取を完了した旨を宛先情報受付手段３１１に送信すると、宛先情報受付手段３１１は、宛先確認手段３１２に宛先確認を行う旨を送信する。当該旨を受信した宛先確認手段３１２は、例えば、図６（Ｂ）の「宛先情報を確認してください」２２０の表示を含む確認画面２２５を操作部２００のタッチパネル２０１に表示させる（図４：Ｓ２０３）。
【００２９】
操作部２００のタッチパネル２０１が表示する確認画面２２５とは、操作部２００のタッチパネル２０１に表示される画面のうち、確認される宛先情報と、上記表示２２０およびそれらの関連表示のことを示す。確認画面２２５は、ユーザに対して、宛先情報を確認させて、ユーザからの確認指示を受け付けるための表示であり、ユーザによる宛先情報入力操作の後表示される。また、本発明では、確認画面２２５を表示させてから終了させるまでの間の期間を待機期間と確認期間に分ける。そして、待機期間は、ユーザに対して宛先情報を確認させるための期間、一方、確認期間は、ユーザからの確認指示を受け付けるための期間とする。そのため、確認画面の表示をさせてから待機期間の間にはユーザに宛先情報を確認させるだけで、ユーザからの確認指示の操作入力を受け付けず、待機期間を経過してからの確認期間の間に、ユーザからの確認指示を受け付ける。
【００３０】
宛先確認手段３１２は、上記の確認画面２２５の表示をさせると同時にタイマー３１３に所定の待機期間のカウントを開始させる（Ｓ２０４）。タッチパネル２０１の確認画面２２５の表示命令と前記タイマー３１３へのカウントの開始命令は、宛先確認手段３１２から同時に指示される。よって、タッチパネル２０１に確認画面２２５の表示がされるのと略同時に、タイマー３１３での待機期間のカウントが開始される。
【００３１】
タイマー３１３から待機期間が経過した旨が宛先確認手段３１２に送信されるまで、宛先確認手段３１２は通信装置１００が送信不許可状態（待機期間）であると判断する。そして、図６（Ｂ）の「宛先情報を確認してください」２２０の表示をさせる。（図４：Ｓ２０５ＮＯ）。
【００３２】
タイマー３１３が、タッチパネル２０１の表示開始から待機期間までのカウントが経過したことを確認すると、タイマー３１３は、宛先確認手段３１２に待機期間が経過した旨を送信する。この待機期間は、ユーザに宛先情報を確認させるための期間であり、各ユーザが任意に調整してよい。また、待機期間は、宛先情報の宛先件数に応じて調整可能にしてもよい。例えば、ユーザが一件当たり３０秒程度あれば、確認の時間としては、十分であると考えるなら、３０秒に宛先件数を掛けた時間を待機期間とする。この宛先件数の情報は、宛先情報受付手段３１１から、宛先確認手段３１２を介してタイマー３１３に送信される。
【００３３】
次に、タイマー３１３から待機期間が経過した旨を受け取った宛先確認手段３１２は、通信装置１００が送信許可状態（確認期間）であると判断し、図６（Ｃ）の「送信しますか？」２３０の表示を操作部２００のタッチパネル２０１に表示させる（図４：Ｓ２０５ＹＥＳ→Ｓ２０６）。
【００３４】
この確認期間内にユーザはタッチパネル２０１を使用して宛先情報の確認指示を入力する。宛先情報の確認指示を入力して、ＦＡＸ送信を完了する場合、ユーザが図５の操作部２００のスタートキー２１１を押下し、または、図６（Ｃ）のタッチパネル２０１のＹＥＳキー２３１に触れると、宛先確認手段３１２が、ユーザからの宛先情報の確認の指示を受け付ける。宛先情報の確認の指示を受け付けた宛先確認手段３１２は、送信手段３１６に原稿を送信する（Ｓ２０７ＹＥＳ→Ｓ２０８）。
【００３５】
次に、宛先確認手段３１２から当該信号を受け取った送信手段３１６が、送信情報記憶手段３１５に記憶されている原稿データ情報を送信する（Ｓ２０８）。なお、ユーザからの上記宛先情報の確認の指示を受け付けた場合、宛先情報確認手段３１２は、タイマー３１３に確認期間のカウントを終了させる旨を送信し、当該信号を受信したタイマー３１３は、カウントを終了する。そして、ユーザが図６（Ｃ）のＮＯキー２３２に触れることでＦＡＸ送信をキャンセルする場合は、送信情報記憶手段３１５に記憶されていた送信情報を削除させて送信確認画面の表示２３０を終了させる。
【００３６】
一方、確認期間内にユーザからの宛先情報確認の指示がない場合、タイマー３１３は確認期間終了までカウントを続行している。この場合、タイマー３１３が、確認期間の終了のカウントを確認すると、タイマー３１３は、宛先確認手段３１２に確認期間が経過した旨を送信する。タイマー３１３から前記信号を受け取った宛先確認手段３１２は、宛先情報を送信情報記憶手段３１５に記憶させる。さらに、宛先確認手段３１２は、送信情報記憶手段３１５が記憶している原稿データを上書きしないように保持し続ける旨を送信情報記憶手段３１５に送信する。宛先確認手段３１２から当該信号を受け取った送信情報記憶手段３１５は、宛先情報と原稿データを関連付けて送信情報として記憶し、さらに当該送信情報を上書き禁止状態にして記憶し続ける、又は当該送信情報を別の領域に移動させて記憶してもよい。この送信情報は、ユーザにより送信情報の消去操作がなされるまで送信情報記憶手段３１５が記憶し続ける。
【００３７】
送信情報記憶手段３１５に上記信号を送信した後、宛先確認手段３１２は、操作部２００に図６（Ｃ）の確認画面の表示２３０から図６（Ｄ）の入力画面の表示２４０に変更させて、宛先情報の確認画面を終了させる（Ｓ２０７ＮＯ→Ｓ２１０）。確認期間を経過すると、送信確認画面が終了するので、次のユーザはすぐに通信装置１００を使用することができる。
【００３８】
なお、記憶された原稿データは再送信することが可能である。宛先確認手段３１２は、前記図６（Ｄ）の入力画面の表示中に「１件の送信情報を記憶しています」２４１を表示させる。ユーザがＯＫキー２４２に触れると、宛先確認手段３１２が当該入力を受付け、図６（Ｅ）の「送信情報を記憶しています」２５０を表示させる。ユーザが記憶された原稿データを再送信することを選択する場合は、ＯＫキー２５１に触れると、宛先確認手段３１２が当該入力を受け付けて、図６（Ｂ）の「宛先情報を確認してください」２２０を表示させる（Ｓ２１０→Ｓ２０３）。その後は上記の繰り返しをおこなう。
【産業上の利用可能性】
【００３９】
本発明は、誤送信を防止するための確認画面が業務の支障となることなく、ユーザに確実に宛先情報を確認させることができる。したがって、その産業上の利用可能性は大きい。
【図面の簡単な説明】
【００４０】
【図１】本発明の実施形態に係る通信装置の全体構成を示す図である。
【図２】本発明の実施形態に係る通信装置の制御系ハードウェアの構成を示す図である。
【図３】本発明の実施形態に係る通信装置の機能ブロック図である。
【図４】本発明の実施形態に係る通信装置の誤送信防止方法のフローチャートである。
【図５】本発明の実施形態に係る通信装置の操作部を示す図である。
【図６】本発明の実施形態に係る通信装置の操作部のタッチパネルを示す図である。
【符号の説明】
【００４１】
１００  通信装置
３１１  宛先情報受付手段
３１２  宛先確認手段
３１３  タイマー
３１４  原稿読取手段
３１５  送信情報記憶手段
３１６  送信手段
１５０、１５１  ファクシミリ回線
【図１】
2010087685.tif 000003
【図２】
2010087685.tif 000004
【図３】
2010087685.tif 000005
【図４】
2010087685.tif 000006
【図５】
2010087685.tif 000007
【図６】
2010087685.tif 000008